(57)【要約】【課題】カーナビゲーション装置に組み込まれている記録媒体を交換することなく表示画像を変更可能とするカーナビゲーション装置を提供すること。【解決手段】このカーナビゲーション装置１０は、情報通信端末２０から外部情報を受け取る情報取得部１０１と、カーナビゲーション装置１０が設置されている車両の走行状況を測定するための車速パルスセンサ４０等から走行状況を示す状況情報を取得する状況取得部１０２と、当該取得した状況情報を変数として外部情報を用いて所定の情報処理を行い、車両に設置されているディスプレイ３０に表示する表示画像を決定する画像決定部１０３と、当該決定した表示画像をディスプレイ３０に出力する画像出力部１０４と、を含む。【選択図】  図１
2004212241.tif 000002
【特許請求の範囲】
【請求項１】
情報通信端末から外部情報を受け取る情報取得手段と、
当該カーナビゲーション装置が設置されている車両の走行状況を測定するための測定手段から前記走行状況を示す状況情報を取得する状況取得手段と、
当該取得した状況情報を変数として前記外部情報を用いて所定の情報処理を行い、前記車両に設置されている表示手段に表示する表示画像を決定する画像決定手段と、
当該決定した表示画像を前記表示手段に出力する画像出力手段と、
を含むカーナビゲーション装置。
【請求項２】
前記外部情報はアプリケーションソフトウェアである、請求項１に記載のカーナビゲーション装置。
【請求項３】
情報取得手段が情報通信端末から外部情報を受け取る情報取得ステップと、
状況取得手段が、当該カーナビゲーション装置が設置されている車両の走行状況を測定するための測定手段から前記走行状況を示す状況情報を取得する状況取得ステップと、
画像決定手段が当該取得した状況情報を変数として前記外部情報を用いて所定の情報処理を行い、前記車両に設置されている表示手段に表示する表示画像を決定する画像決定ステップと、
画像出力手段が当該決定した表示画像を前記表示手段に出力する画像出力ステップと、を含むカーナビゲーション表示方法。
【請求項４】
前記外部情報はアプリケーションソフトウェアである、請求項３に記載のカーナビゲーション表示方法。
【請求項５】
コンピュータを、
情報通信端末から外部情報を受け取る情報取得手段と、
当該カーナビゲーション装置が設置されている車両の走行状況を測定するための測定手段から前記走行状況を示す状況情報を取得する状況取得手段と、
当該取得した状況情報を変数として前記外部情報を用いて所定の情報処理を行い、前記車両に設置されている表示手段に表示する表示画像を決定する画像決定手段と、
当該決定した表示画像を前記表示手段に出力する画像出力手段と、
して機能させるためのカーナビゲーション表示プログラム。
【請求項６】
前記外部情報はアプリケーションソフトウェアである、請求項５に記載のカーナビゲーション表示プログラム。
【請求項７】
請求項５又は６に記載のカーナビゲーション表示プログラムが記録されたことを特徴とするコンピュータ読取可能な記録媒体。
【発明の詳細な説明】
【０００１】
【発明の属する技術分野】
本発明は、カーナビゲーション装置、カーナビゲーション表示方法、カーナビゲーション表示プログラム、およびコンピュータ読取可能な記録媒体に関するものである。
【０００２】
【従来の技術】
携帯電話機といった情報通信端末で受信した情報を、カーナビゲーション装置に送信してディスプレイに表示する技術としては種々のものがある。その一例としては、カーナビゲーション装置が携帯電話機から電子メールといった文字情報を受け取って、車両の走行状況に応じてディスプレイにその文字情報を表示したり、音声で読み上げたりものがある（例えば、特許文献１参照。）。
【０００３】
【特許文献１】
特開２００２−１４１４７５号公報
【０００４】
【発明が解決しようとする課題】
従来の技術では、携帯電話機から受け取った文字情報を、音声にせよ画像にせよ内容的にはそのままユーザに伝達することを目的としている。つまり、ディスプレイに表示される情報としては、地図情報及び案内情報といった予めカーナビゲーション装置に設定されている情報と、携帯電話機から受け取った電子メールそのものといった情報に限られていた。従って、ユーザがディスプレイに表示される画像を変えようと思えば、カーナビゲーション装置そのものを交換するか、カーナビゲーション装置に組み込まれている記録媒体を交換する必要があった。
【０００５】
そこで本発明では、カーナビゲーション装置そのものやそれに組み込まれている記録媒体を交換することなく表示画像を変更可能とするカーナビゲーション装置、カーナビゲーション表示方法、カーナビゲーション表示プログラム、およびコンピュータ読取可能な記録媒体を提供することを課題とする。
【０００６】
【課題を解決するための手段】
本発明のカーナビゲーション装置は、情報通信端末から外部情報を受け取る情報取得手段と、当該カーナビゲーション装置が設置されている車両の走行状況を測定するための測定手段から走行状況を示す状況情報を取得する状況取得手段と、当該取得した状況情報を変数として外部情報を用いて所定の情報処理を行い、車両に設置されている表示手段に表示する表示画像を決定する画像決定手段と、当該決定した表示画像を表示手段に出力する画像出力手段と、を含む。
【０００７】
本発明のカーナビゲーション表示方法は、情報取得手段が情報通信端末から外部情報を受け取る情報取得ステップと、状況取得手段が、当該カーナビゲーション装置が設置されている車両の走行状況を測定するための測定手段から走行状況を示す状況情報を取得する状況取得ステップと、画像決定手段が当該取得した状況情報を変数として外部情報を用いて所定の情報処理を行い、車両に設置されている表示手段に表示する表示画像を決定する画像決定ステップと、画像出力手段が当該決定した表示画像を表示手段に出力する画像出力ステップと、を含む。
【０００８】
本発明のカーナビゲーション表示プログラムは、コンピュータを、情報通信端末から外部情報を受け取る情報取得手段と、当該カーナビゲーション装置が設置されている車両の走行状況を測定するための測定手段から走行状況を示す状況情報を取得する状況取得手段と、当該取得した状況情報を変数として外部情報を用いて所定の情報処理を行い、車両に設置されている表示手段に表示する表示画像を決定する画像決定手段と、当該決定した表示画像を表示手段に出力する画像出力手段と、して機能させる。
【０００９】
本発明のカーナビゲーション装置およびカーナビゲーション表示方法によれば、測定手段が測定した状況情報を変数として、情報通信端末から受け取った外部情報を用いて所定の情報処理を行って表示画像を決定するので、異なる外部情報を受け取ることで表示手段に表示する画像を簡便に変更することができる。また、コンピュータを用いて本発明のカーナビゲーション表示プログラムを実行しても同様である。
【００１０】
また本発明のカーナビゲーション装置、カーナビゲーション表示方法、及びカーナビゲーション表示プログラムにおいては、外部情報はアプリケーションソフトウェアであることも好ましい。状況情報を変数としてアプリケーションソフトウェアを用いて所定の情報処理を行うので、そのアプリケーションソフトウェアに応じた表示画像を生成することができる。
【００１１】
本発明のコンピュータ読取可能な記録媒体は、上記いずれかのカーナビゲーション表示プログラムが記録されている。コンピュータを用いて、本発明の記録媒体に記録されたカーナビゲーション表示プログラムを実行すると、測定手段が測定した状況情報を変数として、情報通信端末から受け取った外部情報を用いて所定の情報処理を行って表示画像を決定するので、異なる外部情報を受け取ることで表示装置に表示する画像を簡便に変更することができる。
【００１２】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
本発明の実施形態であるカーナビゲーション装置について図１を用いて説明する。図１はカーナビゲーション装置１０を説明するための図である。カーナビゲーション装置１０は、情報通信端末２０から所定の情報を受け取ることが可能なように構成されている。通信端末２０は、図示しないネットワークを介してアプリケーションソフトウェアといった情報を受信することが可能な通信端末である。通信端末２０としては、情報通信可能な携帯電話機や、ＰＤＡ（Ｐｅｒｓｏｎａｌ  Ｄｉｇｉｔａｌ  Ａｓｓｉｓｔａｎｃｅ）といった携帯型の情報通信端末が用いられる。
【００１４】
カーナビゲーション装置１０は、車速パルスセンサ４０、ＧＰＳ受信機４１、走行距離計４２、燃料計４３のそれぞれから車両の走行状況を取得することが可能なように構成されている。車速パルスセンサ４０は、カーナビゲーション装置１０が設置されている車両の速度を示す情報を取得してカーナビゲーション装置１０に出力する。ＧＰＳ受信機４１は、カーナビゲーション装置１０が設置されている車両の位置を示す情報を取得してカーナビゲーション装置１０に出力する。走行距離計４２は、カーナビゲーション装置１０が設置されている車両の走行距離を示す情報を取得してカーナビゲーション装置１０に出力する。燃料計４３は、カーナビゲーション装置１０が設置されている車両の残燃料を示す情報を取得してカーナビゲーション装置１０に出力する。
【００１５】
カーナビゲーション装置１０は、ディスプレイ（表示手段）３０に所定の情報を出力することが可能なように構成されている。ディスプレイ３０は、この出力された所定の情報に基づいて画像を表示する。
【００１６】
カーナビゲーション装置１０は、物理的には、ＣＰＵ（中央処理装置）、メモリ、タッチスイッチやリモコンといった入力装置、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）やハードディスクといった格納装置などを備えたコンピュータシステムとして構成されている。
【００１７】
カーナビゲーション装置１０は、機能的な構成要素として、情報取得部（情報取得手段）１０１と、状況取得部（状況取得手段）１０２と、画像決定部（画像決定手段）１０３と、画像出力部（画像出力手段）１０４と、外部情報格納部１１０と、地図情報格納部１１１と、を含む。引き続いて、各構成要素について詳細に説明する。
【００１８】
情報取得部１０１は、情報通信端末２０から外部情報としてのアプリケーションソフトウェアを受け取る部分である。情報取得部１０１は、その受け取ったアプリケーションソフトウェアを外部情報格納部１１０に格納する。
【００１９】
外部情報格納部１１０に格納されている情報の例について図２を用いて説明する。図２の例に拠れば、外部情報格納部１１０には情報通信端末２０から受け取ったアプリケーションソフトウェアと、そのアプリケーションソフトウェアが利用する情報とが関連付けられて格納されている。例えば「速度警告アプリケーションソフトウェア」は、「車両の速度」を変数として利用することを示している。また、「ガス欠警告アプリケーションソフトウェア」は、「車両の残燃料」及び「車両の位置」を変数として利用することを示している。各アプリケーションソフトウェアの詳細については後述する。
【００２０】
図１に戻って、状況取得部１０２は、カーナビゲーション装置１０が設置されている車両の走行状況を測定するための測定手段から走行状況を示す状況情報を取得する部分である。本実施形態の場合には、測定手段としては、車速パルスセンサ４０、ＧＰＳ受信機４１、走行距離計４２、燃料計４３が用いられている。
従って状況情報としては、「車両の速度」「車両の位置」「車両の走行距離」「車両の残燃料」が得られる。状況取得部１０２は、この取得した状況情報を画像決定部１０３に出力する。
【００２１】
画像決定部１０３は、状況取得部１０２から出力された状況情報を変数としてアプリケーションソフトウェアを用いて所定の情報処理を行い、ディスプレイ３０に表示する表示画像を決定する部分である。例えば、用いるアプリケーションソフトウェアが「速度警告アプリケーションソフトウェア」であれば、車速パルスセンサ４０が測定する「車両の速度」を変数として所定の情報処理を行い、表示画像を決定する。画像決定部１０３は、決定した表示画像を示す情報を画像出力部１０４に出力する。
【００２２】
画像決定部１０３は、更に地図情報格納部１１１に格納されている地図情報を用いてディスプレイ３０に表示する表示画像を決定してもよい。地図情報格納部１１１には、カーナビゲーション装置１０がカーナビゲーションをする際に用いる地図に関する情報が格納されている。地図情報格納部１１１に格納されている情報としては、地図情報、道路名情報、交差点名情報、店舗名情報といった情報が格納されている。画像決定部１０３はこれらの情報を用いて、現在走行中の道路名称の取得、画面中心座標の取得、表示縮尺の取得、画面のスクロール、表示縮尺の変更、現在地画面表示、ルート概要取得、残距離取得、到着予想時刻取得、次分岐情報の取得、ルート乗線・脱線状態の通知、分岐案内の通知、県境通過の通知、店舗の地点名称の取得、周辺の店舗情報の取得、メモリ地点の取得、メモリ地点の登録、メモリ地点接近の通知といった表示画像の決定を行うことができる。
【００２３】
画像出力部１０４は、画像決定部１０３から出力された表示画像を示す情報に基づいて、その表示画像をディスプレイ３０に出力して表示させる。ここで、各アプリケーションソフトウェアを用いて表示される表示画像の例について説明する。図３は「速度警告アプリケーションソフトウェア」を用いてディスプレイ３０に表示される画像の例を示している。ディスプレイ３０には、通常の地図画像３０１に割り込む形で、「速度警告アプリケーションソフトウェア」を用いた表示画像３０２が表示されている。図３の例の場合は、車速パルスセンサ４０から「車両の速度」が「１００ｋｍ／ｈ」であるとの状況情報が出力されており、その状況情報を用いて図３に示すような表示画像３０２が生成される。
【００２４】
図４は「残距離表示アプリケーションソフトウェア」を用いた表示画像３０３の例を示している。図４の例の場合は、ＧＰＳ受信機４１から「車両の位置」が状況情報として出力されており、その状況情報と予め設定されている目的地の位置の情報とを用いて残りの距離が「２０ｋｍ」であることが計算され、図４に示すような表示画像３０３が生成される。
【００２５】
図５は「メンテナンス情報アプリケーションソフトウェア」を用いた表示画像３０４の例を示している。図５の例の場合は、走行距離計４２から「車両の走行距離」が「５０００ｋｍ」であるとの状況情報が出力されており、その状況情報と予め設定されているオイル交換時期の情報とを用いて図５に示すような表示画像３０４が生成される。
【００２６】
図６は「ガス欠警告アプリケーションソフトウェア」を用いた表示画像３０５の例を示している。図６の例の場合は、燃料計４３から「車両の残燃料」が「１０Ｌ」であるとの状況情報が出力されており、その状況情報と予め設定されているガス欠警告時期の情報とを用いて図６に示すような表示画像３０５が生成される。尚、図６に示す表示画像３０５の「２ｋｍ先にガソリンスタンドがあります。」という情報は、地図情報格納部１１１に格納されている地図情報を用いて画像決定部１０３が決定したものである。
【００２７】
図７は「メータ表示アプリケーションソフトウェア」を用いた表示画像３０６の例を示している。図７の例の場合は、車速パルスセンサ４０から「車両の速度」が、図示しないエンジン回転計から「エンジン回転数」が、図示しない水温計から「水温」がそれぞれ状況情報として出力されている。それらの状況情報を用いて、速度メータ画像３０６ａ、タコメータ画像３０６ｂ、水温計画像３０６ｃから構成される表示画像３０６が生成される。
【００２８】
引き続いて、カーナビゲーション装置１０を用いてディスプレイ３０に画像の表示を行う方法について、図８に示すフローチャートを用いて説明する。情報取得部１０１は、情報通信端末２０から外部情報としてのアプリケーションソフトウェアを受け取る（ステップＳ０１）。情報取得部１０１は、その受け取ったアプリケーションソフトウェアを外部情報格納部１１０に格納する（ステップＳ０２）。
【００２９】
状況取得部１０２は、カーナビゲーション装置１０が設置されている車両の走行状況及び車内状況を測定するための測定手段（車速パルスセンサ４０、ＧＰＳ受信機４１、走行距離計４２、燃料計４３）から走行状況を示す状況情報を取得して画像決定部１０３に出力する（ステップＳ０３）。画像決定部１０３は、状況取得部１０２から出力された状況情報を変数としてアプリケーションソフトウェアを用いて所定の情報処理を行い、ディスプレイ３０に表示する表示画像を決定して画像出力部１０４に出力する（ステップＳ０４）。
【００３０】
画像出力部１０４は、画像決定部１０３から出力された表示画像を示す情報に基づいて、その表示画像をディスプレイ３０に出力する（ステップＳ０５）。ディスプレイ３０はその出力に応じて表示画像を表示する（ステップＳ０６）。
【００３１】
次にコンピュータを、本実施形態のカーナビゲーション装置１０として機能させるためのカーナビゲーション表示プログラム９２及びそれが記録されているコンピュータ読取可能な記録媒体９について説明する。図９は、カーナビゲーション表示プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３２】
記録媒体９は、図９に示すように、プログラムを記録するプログラム領域９１と、データを記録するデータ領域９３とを備えている。データ領域９３には、図１を用いて説明した外部情報格納部１１０と同様の外部情報データベース９３１、地図情報格納部１１１と同様の地図情報データベース９３２が格納されている。
【００３３】
プログラム領域９１には、カーナビゲーション表示プログラム９２が記録されている。カーナビゲーション表示プログラム９２は、処理を統括するメインモジュール９２１と、情報取得モジュール９２２と、状況取得モジュール９２３と、画像決定モジュール９２４と、画像出力モジュール９２５とを備える。ここで、情報取得モジュール９２２、状況取得モジュール９２３、画像決定モジュール９２４、画像出力モジュール９２５のそれぞれを動作させることによって実現する機能は、上記カーナビゲーション装置１０の情報取得部１０１、状況取得部１０２、画像決定部１０３、画像出力部１０４のそれぞれの機能と同様である。
【００３４】
本実施形態においては、測定手段としての車速パルスセンサ４０、ＧＰＳ受信機４１、走行距離計４２、燃料計４３がそれぞれ測定した状況情報を変数として、情報通信端末２０から受け取ったアプリケーションソフトウェアを用いて所定の情報処理を行って表示画像を決定するので、異なるアプリケーションソフトウェアを受け取ることでディスプレイ３０に表示する画像を簡便に変更することができる。
【００３５】
尚、本実施形態の場合には車両の走行状況を示す情報を取得する測定手段を用いているけれども、車内の状況を示す情報を取得する測定手段（車内温度計、着座センサ等）を用いてもよい。また、車両の走行状況を示す情報を取得する測定手段としては、走行方位センサ、ライト点灯有無認識センサ、サイドブレーキ使用有無取得センサといったものを用いてもよい。
【００３６】
【発明の効果】
本発明によれば、測定手段が測定した状況情報を変数として、情報通信端末から受け取った外部情報を用いて所定の情報処理を行って表示画像を決定するので、異なる外部情報を受け取ることで表示手段に表示する画像を簡便に変更することができる。従って本発明の目的とする、カーナビゲーション装置そのものやそれに組み込まれている記録媒体を交換することなく表示画像を変更可能とするカーナビゲーション装置、カーナビゲーション表示方法、カーナビゲーション表示プログラム、およびコンピュータ読取可能な記録媒体を提供することができた。
【図面の簡単な説明】
【図１】本発明の実施形態であるカーナビゲーション装置を説明するための図である。
【図２】図１の外部情報格納部に格納される情報の例を示す図である。
【図３】図１のディスプレイに表示される表示画像の例を示す図である。
【図４】図１のディスプレイに表示される表示画像の例を示す図である。
【図５】図１のディスプレイに表示される表示画像の例を示す図である。
【図６】図１のディスプレイに表示される表示画像の例を示す図である。
【図７】図１のディスプレイに表示される表示画像の例を示す図である。
【図８】本発明の実施形態であるカーナビゲーション装置を用いて画像を表示する方法を示したフローチャートである。
【図９】本発明の実施形態であるカーナビゲーション表示プログラムを説明するための図である。
【符号の説明】
１０…カーナビゲーション装置、１０１…情報取得部、１０２…状況取得部、１０３…画像決定部、１０４…画像出力部、１１０…外部情報格納部、２０…情報通信端末、３０…ディスプレイ、４０…車速パルスセンサ、４１…ＧＰＳ受信機、４２…走行距離計、４３…燃料計。
【図１】
2004212241.tif 000003
【図２】
2004212241.tif 000004
【図３】
2004212241.tif 000005
【図４】
2004212241.tif 000006
【図５】
2004212241.tif 000007
【図６】
2004212241.tif 000008
【図７】
2004212241.tif 000009
【図８】
2004212241.tif 000010
【図９】
2004212241.tif 000011